(57)【特許請求の範囲】
【請求項１】
データが多重化された放送信号を受信可能な受信装置であって、
放送信号を受信可能な少なくとも第１および第２の受信手段と、
前記第１の受信手段により受信された放送信号を出力している間に、第２の受信手段により周波数帯域を走査する走査手段と、
前記走査手段により走査が行われている期間中に受信された放送信号から放送番組に関するデータおよび道路交通情報に関するデータを抽出する抽出手段と、
前記走査手段により走査された前記周波数帯域内の受信可能な周波数を登録した周波数テーブルを保持する保持手段と、
前記保持手段により保持された周波数テーブルに対応する放送局を表示する表示手段と、
前記走査手段により前記周波数帯域の走査が行われている期間中に、前記周波数テーブル内の周波数が受信可能であるか否かを判定する判定手段と、
前記判定手段の判定結果に基づき前記表示手段による放送局の表示を更新する更新手段と、
前記放送信号の受信状態に基づいて、受信が困難なエリアを走行する受信困難モードであると判定するモード判定手段とを有し、
前記保持手段は、前記判定手段の判定結果を前記周波数テーブルに保持し、
前記モード判定手段により受信困難モードであると判定されたとき、前記抽出手段が前記放送番組に関するデータの抽出を中断することにより前記判定手段は、周波数が受信可能であるか否かを判定する周期を、前記受信困難モード以外のときよりも短くする、受信装置。
【請求項２】
前記保持手段は、前記モード判定手段により受信困難モードであると判定された場合には、前記判定手段により受信不可と判定された周波数を前記周波数テーブルから消去せずに保持する、請求項１に記載の受信装置。
【請求項３】
前記モード判定手段は、前記表示手段により表示される放送局の数が第１の条件化で減少したとき、受信困難モードであると判定する、請求項１に記載の受信装置。
【請求項４】
前記モード判定手段は、前記表示手段により表示される放送局の数が第２の条件下で増加したとき、受信困難モードを解除し通常モードであると判定し、
前記判定手段は、通常モードであると判定されたとき、周波数が受信可能であるか否かを判定する周期をもとの周期に戻す、請求項１または２に記載の受信装置。
【請求項５】
前記第１の条件は、放送局の数が一定期間内に一定の割合で減少することである、請求項２に記載の受信装置。
【請求項６】
前記第２の条件は、放送局の数が一定期間内に一定の割合で増加することである、請求項３に記載の受信装置。
【請求項７】
前記走査手段が周波数帯域の下限から上限へまたは上限から下限への走査を行う間に、前記判定手段は、前記周波数テーブル内の各周波数が受信可能であるか否かを時分割で判定する、請求項１ないし６いずれか１つに記載の受信装置。
【請求項８】
前記判定手段は、所定の周波数が受信可能でないと判定したとき、前記周波数テーブル内にフラグをセットする手段を含み、前記更新手段は、セットされたフラグに基づき放送局の表示を更新する、請求項１ないし７いずれか１つに記載の受信装置。
【請求項９】
受信装置はさらに、前記表示手段によって表示された放送局のリストから放送局を選択する選択手段と、
前記選択手段により選択された放送局に基づき前記第１の受信手段による選局を制御する制御手段とを含む、請求項１ないし８いずれか１つに記載の受信装置。
【請求項１０】
前記受信が困難なエリアは、トンネルまたは地下である、請求項１ないし９いずれか１つに記載の受信装置。
【請求項１１】
前記第１および第２の受信手段は、ＲＤＳ放送を受信する、請求項１ないし１０いずれか１つに記載の受信装置。
【請求項１２】
前記第１および第２の受信手段は、ディジタル放送を受信する、請求項１ないし１１いずれか１つに記載の受信装置。
【請求項１３】
データが多重化された放送信号を受信可能な受信装置における放送局の表示方法であって、
第１の受信手段により受信された放送信号を出力している間に、第２の受信手段により周波数帯域を走査するステップと、
前記走査手段により走査が行われている期間中に受信された放送信号から放送番組に関するデータおよび道路交通情報に関するデータを抽出するステップと、
前記走査手段により走査された前記周波数帯域内の受信可能な周波数を登録した周波数テーブルを保持するステップと、
前記保持手段により保持された周波数テーブルに対応する放送局を表示するステップと、
前記周波数帯域の走査が行われている期間中に、前記周波数テーブル内の周波数が受信可能であるか否かを判定するステップと、
前記判定するステップの判定結果を前記周波数テーブルに保持するステップと、
周波数が受信可能であるか否かの判定結果に基づき前記放送局の表示を更新するステップと、
前記放送信号の受信状態に基づいて、受信が困難なエリアを走行する受信困難モードであると判定するステップと、
前記受信困難モードであると判定されたとき、放送信号から前記放送番組に関するデータの抽出を中断することにより周波数が受信可能であるか否かを判定する周期を前記受信困難モード以外のときよりも短くするステップと、
を有する表示方法。
【請求項１４】
前記受信困難モードであると判定された場合には、前記判定結果を保持するステップは、前記判定するステップにより受信不可と判定された周波数を前記周波数テーブルから消去せずに保持する、請求項１３に記載の表示方法。
【請求項１５】
前記判定するステップは、前記表示手段により表示される放送局の数が第１の条件化で減少したとき、受信困難モードであると判定する、請求項１３に記載の表示方法。
【請求項１６】
表示方法はさらに、前記表示された放送局の数が第２の条件下で増加したとき、受信困難モードを解除し通常モードであると判定するステップと、
前記通常モードであると判定されたとき、周波数が受信可能であるか否かを判定する周期をもとの周期に戻すステップと、を有する請求項１３または１４に記載の表示方法。
【請求項１７】
前記第１の条件は、放送局の数が一定期間内に一定の割合で減少することである、請求項１５に記載の表示方法。
【請求項１８】
前記第２の条件は、放送局の数が一定期間内に一定の割合で増加することである、請求項１６に記載の表示方法。
【請求項１９】
前記判定するステップは、所定の周波数が受信可能でないと判定したとき、前記周波数テーブル内にフラグをセットするステップを含み、前記更新するステップは、セットされたフラグに基づき放送局の表示を更新する、請求項１３ないし１８いずれか１つに記載の表示方法。
【請求項２０】
データが多重化された放送信号を受信可能な受信装置が実行する放送局の表示プログラムであって、
第１の受信手段により受信された放送信号を出力している間に、第２の受信手段により周波数帯域を走査するステップと、
前記走査手段により走査が行われている期間中に受信された放送信号から放送番組に関するデータおよび道路交通情報に関するデータを抽出するステップと、
前記走査手段により走査された前記周波数帯域内の受信可能な周波数を登録した周波数テーブルを保持するステップと、
前記保持手段により保持された周波数テーブルに対応する放送局を表示するステップと、
前記周波数帯域の走査が行われている期間中に、前記周波数テーブル内の周波数が受信可能であるか否かを判定するステップと、
前記判定するステップの判定結果を前記周波数テーブルに保持するステップと、
周波数が受信可能であるか否かの判定結果に基づき前記放送局の表示を更新するステップと、
前記放送信号の受信状態に基づいて、受信が困難なエリアを走行する受信困難モードであると判定するステップと、
前記受信困難モードであると判定されたとき、放送信号から前記放送番組に関するデータの抽出を中断することにより周波数が受信可能であるか否かを判定する周期を前記受信困難モード以外のときよりも短くするステップと、
を有する表示プログラム。
【請求項２１】
前記受信困難モードであると判定された場合には、前記判定結果を保持するステップは、前記判定するステップにより受信不可と判定された周波数を前記周波数テーブルから消去せずに保持する、請求項２０に記載の表示プログラム。
【請求項２２】
前記判定するステップは、前記表示手段により表示される放送局の数が第１の条件化で減少したとき、受信困難モードであると判定する、請求項２０に記載の表示プログラム。
【請求項２３】
表示プログラムはさらに、前記表示された放送局の数が第２の条件下で増加したとき、受信困難モードを解除し通常モードであると判定するステップと、
前記通常モードであると判定されたとき、周波数が受信可能であるか否かを判定する周期をもとの周期に戻すステップと、を有する請求項２０または２１に記載の表示プログラム。
【請求項２４】
前記第１の条件は、放送局の数が一定期間内に一定の割合で減少することである、請求項２２に記載の表示プログラム。
【請求項２５】
前記第２の条件は、放送局の数が一定期間内に一定の割合で増加することである、請求項２３に記載の表示プログラム。
【請求項２６】
前記判定するステップは、所定の周波数が受信可能でないと判定したとき、前記周波数テーブル内にフラグをセットするステップを含み、前記更新するステップは、セットされたフラグに基づき放送局の表示を更新する、請求項２０ないし２５いずれか１つに記載の表示プログラム。
【発明の詳細な説明】
【技術分野】
【０００１】
本発明は、移動体など車両に搭載される受信装置に関し、特に、データが多重化された放送信号を受信可能なラジオ受信装置に関する。
【背景技術】
【０００２】
欧州などでは、ラジオの放送信号に種々のデータを多重化したラジオデータシステム（Radio Data System、以下、ＲＤＳという）が実用されている。多重化されるデータには、放送番組を識別する情報（ＰＩ:Program Identification）、番組のジャンルを識別する情報（ＰＴＹ: Program Type）、代替放送局、ＴＭＣ（Traffic message Channel）サービスによる道路交通情報などが含まれる。車両に搭載されたラジオ受信装置では、車両の移動とともに刻々と受信感度が変化し、現在視聴している放送局の受信感度が悪化した場合には、代替放送局や他の放送局への切換えが必要になる。一般には、現在視聴している放送局と同一のＰＩコードを有する代替放送局や他の受信可能な放送局のリスト（ステーションリスト）がディスプレイに表示され、ユーザーは、このリストの中から放送局を選択することができる。
【０００３】
放送局のリストは、周波数帯域をフルスキャンすることにより更新されるが、ＴＭＣサービスによる道路交通情報の取得に時間を要すると、更新頻度が遅くなる。そこで、車載機から当該車載機の状態を示す状態情報を取得し、当該状態情報に基づき放送局のリストを更新するか車載機に道路交通情報を提供するかを設定するラジオ受信機が提案されている（特許文献１）。
【先行技術文献】
【特許文献】
【０００４】
【特許文献１】特開２０１１−１９０４１号公報
【発明の概要】
【発明が解決しようとする課題】
【０００５】
ＲＤＳ受信装置において、放送局のリストの更新には、全周波数帯域に亘って１００ＫＨｚ単位で受信可能な周波数の存在を確認するため、その走査には一定の時間を要する。この走査時間は、受信可能な周波数の数に比例し、仮に、受信可能な周波数が２０あれば、周波数帯域１周をスキャンするのに約２分必要となる。このことは、放送局リストの放送局が２分前に取得した情報を反映することを意味し、言い換えれば、放送局の受信状況の更新サイクルには最大で約２分かかってしまう。このため、２分前には受信可能であった放送局が現在では受信可能でなくなっていることがあり、反対に、２分前には受信可能でない放送局が現在では受信可能になっていることがある。特に、トンネルや地下駐車場などの受信状況が急激に悪化するエリアを走行している場合には、受信可能な放送局とそうでない放送局の変化が大きく、できるだけ早く放送局のリストが更新されることが望ましい。
【０００６】
本発明は、このような従来の課題を解決するものであり、受信可能な放送局の更新情報を迅速にユーザーに提供することができる受信装置、放送局の表示方法および表示プログラムを提供することを目的とする。
【課題を解決するための手段】
【０００７】
本発明に係る受信装置は、データが多重化された放送信号を受信可能なものであって、放送信号を受信可能な少なくとも第１および第２の受信手段と、前記第１の受信手段により受信された放送信号を出力している間に、第２の受信手段により周波数帯域を走査する走査手段と、前記走査手段により走査が行われている期間中に受信された放送信号からデータを抽出する抽出手段と、前記走査手段により走査された前記周波数帯域内の受信可能な周波数を登録した周波数テーブルを保持する保持手段と、前記保持手段により保持された周波数テーブルに対応する放送局を表示する表示手段と、前記走査手段により前記周波数帯域の走査が行われている期間中に、前記周波数テーブル内の周波数が受信可能であるか否かを判定する判定手段と、前記判定手段の判定結果に基づき前記表示手段による放送局の表示を更新する更新手段と、前記放送信号の受信状態に基づいて、受信が困難なエリアを走行する受信困難モードであると判定するモード判定手段とを有し、前記モード判定手段により受信困難モードであると判定されたとき、前記判定手段は、周波数が受信可能であるか否かを判定する周期を、前記受信困難モード以外のときよりも短くする。
【０００８】
好ましくは前記モード判定手段は、前記表示手段により表示される放送局の数が第１の条件化で減少したとき、受信困難モードであると判定する。好ましくは前記モード判定手段は、前記表示手段により表示される放送局の数が第２の条件下で増加したとき、受信困難モードを解除し通常モードであると判定し、前記判定手段は、通常モードであると判定されたとき、周波数が受信可能であるか否かを判定する周期をもとの周期に戻す。好ましくは前記抽出手段は、受信困難モードであると判定されたとき、放送信号からの所定のデータの抽出を停止する。好ましくは前記第１の条件は、放送局の数が一定期間内に一定の割合で減少することである。好ましくは前記第２の条件は、放送局の数が一定期間内に一定の割合で増加することである。好ましくは前記走査手段が周波数帯域の下限から上限へまたは上限から下限への走査を行う間に、前記判定手段は、前記周波数テーブル内の各周波数が受信可能であるか否かを時分割で判定する。好ましくは前記判定手段は、所定の周波数が受信可能でないと判定したとき、前記周波数テーブル内にフラグをセットする手段を含み、前記更新手段は、セットされたフラグに基づき放送局の表示を更新する。好ましくは受信装置はさらに、前記表示手段によって表示された放送局のリストから放送局を選択する選択手段と、前記選択手段により選択された放送局に基づき前記第１の受信手段による選局を制御する制御手段とを含む。例えば前記受信が困難なエリアは、トンネルまたは地下である。好ましくは前記第１および第２の受信手段は、ＲＤＳ放送を受信する。好ましくは前記第１および第２の受信手段は、ディジタル放送を受信する。
【０００９】
本発明に係る放送局の表示方法は、データが多重化された放送信号を受信可能な受信装置におけるものであって、第１の受信手段により受信された放送信号を出力している間に、第２の受信手段により周波数帯域を走査するステップと、前記走査手段により走査が行われている期間中に受信された放送信号からデータを抽出するステップと、前記走査手段により走査された前記周波数帯域内の受信可能な周波数を登録した周波数テーブルを保持するステップと、前記保持手段により保持された周波数テーブルに対応する放送局を表示するステップと、前記周波数帯域の走査が行われている期間中に、前記周波数テーブル内の周波数が受信可能であるか否かを判定するステップと、周波数が受信可能であるか否かの判定結果に基づき前記放送局の表示を更新するステップと、前記放送信号の受信状態に基づいて、受信が困難なエリアを走行する受信困難モードであると判定するステップと、前記受信困難モードであると判定されたとき、周波数が受信可能であるか否かを判定する周期を前記受信困難モード以外のときよりも短くするステップと、を有する。
【００１０】
本発明に係る放送局の表示プログラムは、データが多重化された放送信号を受信可能な受信装置が実行するものであって、第１の受信手段により受信された放送信号を出力している間に、第２の受信手段により周波数帯域を走査するステップと、前記走査手段により走査が行われている期間中に受信された放送信号からデータを抽出するステップと、前記走査手段により走査された前記周波数帯域内の受信可能な周波数を登録した周波数テーブルを保持するステップと、前記保持手段により保持された周波数テーブルに対応する放送局を表示するステップと、前記周波数帯域の走査が行われている期間中に、前記周波数テーブル内の周波数が受信可能であるか否かを判定するステップと、周波数が受信可能であるか否かの判定結果に基づき前記放送局の表示を更新するステップと、前記放送信号の受信状態に基づいて、受信が困難なエリアを走行する受信困難モードであると判定するステップと、前記受信困難モードであると判定されたとき、周波数が受信可能であるか否かを判定する周期を前記受信困難モード以外のときよりも短くするステップと、を有する。
【発明の効果】
【００１１】
本発明によれば、受信困難モードであると判定されたとき、周波数が受信可能であるか否かを判定する周期を高速に行うようにしたので、受信困難なエリアを脱出したときに、受信可能な放送局を即座に表示させることができる。これにより、ユーザーには最新の信頼性のある受信可能な放送局の表示が提供され、ユーザーが放送局を選択したときに当該放送局を受信することができないという確率を従来のときよりも低減することができる。
【図面の簡単な説明】
【００１２】
【図１】図１（Ａ）は、本発明の実施例に係る車載用電子システムの一例を示す図、図１（Ｂ）は、本発明の実施例に係るラジオ受信装置の構成を示すブロック図である。
【図２】図１（Ｂ）に示す制御部に含まれる機能の一部を示すブロック図である。
【図３】受信可能な周波数を登録した周波数テーブルの一例である。
【図４】ＰＩコードと代替周波数との関係を規定した代替周波数テーブルの一例である。
【図５】放送局リストの表示例である。
【図６】受信判定フラグを含む周波数テーブルの一例である。
【図７】本発明の実施例に係るラジオ受信装置における通常モード時の走査で行われる処理を説明するグラフである。
【図７Ａ】本発明の実施例に係るラジオ受信装置における受信困難モード時の走査で行われる処理を説明するグラフである。
【図８】本発明の実施例に係るラジオ受信装置における周波数テーブルの作成動作を説明するフローである。
【図９】本発明の実施例に係るラジオ受信装置における周波数の受信可否を判定するフローである。
【図１０】本発明の実施例に係る放送局リストの作成動作を説明するフローである。
【図１１】本発明の実施例に係る放送局リストの更新動作を説明するフローである。
【図１２】本発明の実施例に係る受信困難モードの判定動作を説明するフローである。
【図１３】本発明の実施例による放送局リストの更新例を示す図である。
【発明を実施するための形態】
【００１３】
次に、本発明の実施の形態について図面を参照して説明する。本発明の好ましい実施の形態は、移動体としての自動車に搭載されたラジオ受信装置を例示する。また、ラジオ受信装置は、データが多重化されたラジオ放送を受信することができ、ここでは、その一例として、ＲＤＳ放送を受信するものとする。
【実施例】
【００１４】
図１（Ａ）は、本発明の実施例に係る車載用電子システムの構成を示す図である。当該車載用電子システム１０は、車両に搭載されたラジオ受信装置２０と、ナビゲーション装置３０とを含んで構成される。ラジオ受信装置２０は、ユーザーにより選局されたラジオ放送を受信し、ラジオ放送に重畳されたデータに含まれる道路交通情報がナビゲーション装置３０へ提供される。ＲＤＳ放送では、アナログのＦＭ放送信号にデジタルデータ（ＲＤＳデータ）が重畳され、このＲＤＳデータには、放送番組を識別するＰＩコード、放送サービス名（放送局）、放送番組のジャンル、ＴＭＣサービスによる道路交通情報などが含まれている。
【００１５】
ラジオ受信装置２０により取得された道路交通情報は、ナビゲーション装置３０へ提供され、ナビゲーション装置３０は、取得した道路交通情報タを道路地図上に表示したり、音声案内に利用することができる。図１（Ａ）に示す車載用電子システム１０は、１つの構成例を表すものであり、テレビ受信装置や、ＤＶＤ／ブルーレイディスクの再生装置、多機能型端末（スマートフォン）等を含むものであってもよいし、ラジオ受信装置だけを有するものであってもよい。
【００１６】
図１（Ｂ）は、本実施例のラジオ受信装置の構成を示すブロック図である。ラジオ受信装置２０は、第１のアンテナ１００Ａ、第１のアンテナ１００Ａを介して選択された周波数（放送局）の放送信号を受信する第１のチューナー１１０Ａ、第２のアンテナ１００Ｂ、第２のアンテナ１００Ｂを介して選択された周波数（放送局）の放送信号を受信する第１のチューナー１１０Ｂ、第１および第２のチューナー１１０Ａ、１１０Ｂからの受信信号を受け取り、各受信信号について必要な処理を実行する信号処理部１２０、信号処理部１２０で処理されたオーディオ信号を増幅するアンプ１３０、アンプ１３０で増幅されたオーディオ信号を出力するスピーカ１３２、信号処理部１２０で復号されたデータなどを表示可能な表示部１４０、記憶部１５０、ユーザーからの入力を受け取る入力部１６０、ナビゲーション装置３０などの外部機器との接続を可能にするインターフェース(Ｉ／Ｆ)部１７０、第１および第２のチューナー１１０Ａ、１１０Ｂ、信号処理部１２０、アンプ１３０等を制御する制御部１８０を含んで構成される。
【００１７】
第１のチューナー１１０Ａは、公知のように、第１のアンテナ１００ＡからＲＦ信号を受け取り、これを増幅するＲＦ増幅器、増幅されたＲＦ信号から希望局の周波数信号を選択する同調回路、局部発信器からの周波数信号とＲＦ信号を混合し中間周波（ＩＦ）信号を生成する混合器、中間周波信号を直流検波しその受信電界強度信号（Ｓメータ信号）を抽出するＳメータ回路などを含んでいる。但し、電界強度信号のほかにもＣ／Ｎ値（Carrier to noise）を用いて受信感度を判定するようにしてもよい。さらに、第１のチューナー１１０Ａは、ＡＤＣ（アナログ／ディジタル変換器）により中間周波信号（ＩＦ）およびＳメータ信号をディジタル信号に変換し、これらを信号処理部１２０および制御部１８０へ出力する。第２のチューナー１１０Ｂもまた第１のチューナー１１０Ａと同様に構成される。第１および第２のチューナー１１０Ａ、１１０Ｂは、制御部１８０からの指示に応じて同一の周波数または異なる周波数を選局することができるが、本実施例の好ましい態様では、第１のチューナー１１０Ａによりラジオ放送が視聴されているとき、第２のチューナー１１０Ｂはバックグランド動作により周波数帯域を走査し、受信可能な周波数のチェックやＲＤＳデータの抽出が行われる。
【００１８】
信号処理部１２０は、例えばＤＳＰ(Digital Signal Processor)などを用いて構成される。信号処理部１２０は、ＦＦＴ、ディジタルフィルタリング、信号同期、時間・周波数デインターリーブ、オーディオデコード、データデコード、フェーズダイバーシティ等の信号処理を行うことができる。これらの信号処理は、信号処理部１２０内のプログラムメモリに格納されたソフトウエアを利用して制御することができる。好ましい態様では、信号処理部１２０は、ＤＡＣ（ディジタル／アナログ変換器）を含み、第１のチューナー１１０Ａから受信したディジタル信号から音声信号を抽出し、これをアナログ信号に変換して音声出力させるためにアンプ１３０へ提供する。また、信号処理部１２０は、第２のチューナー１１０Ｂから受信した信号からＲＤＳデータを抽出し、ＲＤＳデータについての種々の処理を可能にする。例えば、ＲＤＳデータからＰＩコード、番組サービス名（ＰＳ：Program Service）、道路交通情報などを抽出し、これを制御部１８０へ提供する。
【００１９】
制御部１８０は、例えばマイクロコントローラなどから構成され、メモリに格納されたプログラムを実行することで各部を制御する。好ましい動作態様では、制御部１８０は、第１のチューナー１１０Ａによりラジオ放送を受信させている間に、第２のチューナーをバックグランド処理により周波数帯域を走査させ、信号処理部１２０を介してＲＤＳデータを取得する。
【００２０】
図２は、本実施例の制御部１８０の機能ブロックを示している。同図において、制御部１８０は、バックグランド処理時に第２のチューナー１１０Ｂに全周波数帯域を一定の周波数間隔で走査させる周波数走査部２００と、周波数帯域を走査したときに抽出されたＲＤＳデータを信号処理部１２０を介して取得するＲＤＳデータ取得部２０２と、取得されたＲＤＳデータからＰＩコードを抽出するＰＩコード抽出部２０４と、抽出されたＰＩコードに基づきＰＩコードを同一とする周波数を登録した代替周波数テーブルを作成する代替放送局作成部２０６と、作成された代替周波数テーブルを保持する代替放送局保持部と２０８と、周者数帯域を走査したときに受信された電界強度信号がしきい値以上である周波数を判別し、このような受信可能な周波数を登録した周波数テーブルを作成する周波数テーブル作成部２１０と、作成された周波数テーブルを保持する周波数テーブル保持部２１２と、周波数テーブル保持部２１２で保持された周波数テーブルに基づき受信可能な放送局のリストを表示する放送局表示部２１４と、周波数帯域を走査している期間中に、周波数テーブル内の周波数が受信可能であるか否かを個別に判定する受信感度判定部２１６と、受信感度判定部２１６の判定結果等により放送局のリストを更新する表示更新部２１８と、電波受信が困難なエリアを走行する受信困難モードか否かを判定するモード判定部２２０とを有する。
【００２１】
周波数走査部２００は、第１のチューナー１１０Ａによりラジオ放送の視聴が行われている間、第２のチューナー１１０Ｂに予め決められた周波数帯域の上限から下限または下限から上限までを一定の周波数間隔で走査させ、受信可能な周波数をチェックする。受信可能な周波数か否かは、第２のチューナー１１０Ｂからの電界強度信号としきい値とを比較することにより行われ、電界強度信号がしきい値以上であれば、受信可能であると判定する。周波数走査部２００の走査結果は、逐次、周波数テーブル作成部２１０へ提供される。
【００２２】
周波数走査部２００により受信可能な周波数が検出されたとき、当該周波数の放送信号に多重化されたＲＤＳデータが信号処理部１２０により抽出され、抽出されたＲＤＳデータがＲＤＳデータ取得部２０２へ提供される。ＰＩコード抽出部２０４は、ＲＤＳデータの中から現在受信している周波数の番組識別情報であるＰＩコードを抽出する。抽出されたＰＩコードは、周波数テーブル作成部２１０へ提供される。
【００２３】
周波数テーブル作成部２１０は、周波数走査部２００により受信可能とされた周波数と、ＰＩコード抽出部２０４により抽出されたＰＩコードとを受け取り、周波数とＰＩコードをペアとした周波数テーブルを作成する。欧州のＦＭ放送を受信する場合には、第２のチューナー１１０Ｂに１０８．０ＭＨｚから８７．５ＭＨｚまで周波数帯域を１００ＫＨｚの間隔で走査させ、そこから受信可能な周波数が判別される。図３は、受信可能と判別された周波数を登録した周波数テーブルの一例である。周波数テーブルには、受信可能な周波数と、その周波数に対応するＰＩコードとの関係が規定される。周波数テーブルは、全周波数帯域の走査中に受信可能な放送局が発見されるたびに当該放送局が登録されるように更新されるが、本実施例では、後述するようにこのような通常の走査期間中に、周波数テーブルに登録された個々の周波数の受信感度が判定され、その判定結果が周波数テーブルに随時反映されるようになっている。
【００２４】
代替放送局作成部２０６は、ＰＩコード抽出部２０４で抽出されたＰＩコードに基づき代替周波数テーブルを作成する。代替周波数テーブルは、ＰＩコードを同一とする周波数を登録したものであり、言い換えれば、現在受信している放送局と同一の放送番組を配信している放送局を識別するテーブルである。図４は、代替周波数テーブルの一例を示している。例えば、代替周波数テーブル２２２では、現在の周波数が９８．５ＭＨｚであり、そのＰＩコードがＤ３０３である（図３を参照）。ＰＩコードとしてＤ３０３を有する代替の周波数は、ＡＦ（１）〜ＡＦ（４）で表された、９２．３ＭＨｚ、９４．３ＭＨｚ、９９．７ＭＨｚ、１０７．５ＭＨｚである。また、代替周波数テーブル２２２には、番組サービス名（ＰＳ）として、「BAYERN 3」が登録されている。このような代替周波数テーブルは、少なくとも図３に示す周波数テーブルに含まれる周波数について作成される。
【００２５】
放送局表示部２１４は、周波数テーブルおよび代替周波数テーブルのＰＳを参照し、受信可能な周波数に対応する放送局リストを表示する。具体的には、図３に示す周波数に対応するＰＩコードに基づき該当する代替周波数テーブル（図４）を検索し、そこから番組サービス名ＰＳを抽出する。複数の周波数が同一のＰＩコードを有する場合には、放送局は共通であるため、複数の周波数について１つの放送局が表示される。図５は、放送局リストの表示例である。この放送局リストは、現在受信している番組サービス名（または放送局）を表示する欄２３０と、その下部のリスト欄２４０に受信可能な周波数の番組サービス名のリストが表示されている。リスト欄２４０のうち、現在受信中の放送番組には識別表示２４２が付されている。放送局リストは、番組サービス名以外の情報として、放送番組ジャンルや周波数なども併せて表示するようにしてもよい。
【００２６】
受信感度判定部２１６は、図３に示される周波数テーブルに含まれる周波数が受信可能であるか否かを判定する。この判定方法の詳細は後述されるが、判定は、周波数走査部２００による全周波数帯域の走査中に時分割で実行されることに留意すべきである。受信感度判定部２１６の判定結果は、表示更新部２１８へ提供され、表示更新部２１８は、放送局リストを最新の受信状態に更新する。好ましい例として、受信感度判定部２１６の判定結果は、図６に示すような周波数テーブルに関連付けされた受信判定フラグを用いて表される。フラグ「１」は、受信可能な状態を示し、フラグ「０」は受信可能でない状態を示す。放送局更新部２１８は、受信判定フラグが「０」に変更されたとき、その周波数に対応する放送局を、図５に示す放送局リストから削除し、反対に、受信判定フラグが「１」に変更されたとき、その周波数に対応する放送局を、図５に示す放送局リストに追加する。
【００２７】
モード判定部２２０は、自車がトンネルや地下駐車場のような電波受信が困難なエリアを走行する受信困難モードであるか否かを判定する。判定方法は、放送局リストに表示されている放送局の数を監視し、放送局の数が一定時間内に一定の割合または一定の数だけ減少したとき、通常モードから受信困難モードに移行したと判定する。例えば、６０秒以内に７０％以上、放送局の数が減少した場合である。この条件は、任意に設定することが可能である。また、受信困難モードにあるとき、放送局の数が一定時間内に一定の割合または一定の数だけ増加したとき、受信困難モードを離脱したと判定する。例えば、６０秒以内に７０％以上、放送局の数が増加した場合であり、この条件は、任意に設定することが可能である。モード判定部２２０は、放送局の数の増減に基づき受信困難モードか否かを判定するが、この放送局の数は、結局のところ、受信可能な周波数に基づくものであり、受信可能な周波数の数の増減に基づき判定しているのと実質的に同義である。さらにモード判定部２２０は、放送信号の受信状態に基づいて、受信が困難なエリアを走行する受信困難モードであるか否かを判定するようにしてもよい。具体的には、モード判定部２２０は、受信中の放送信号の受信状態（Ｓメータの出力レベル）の変化の程度に基づいて、放送信号の受信が困難な領域内に進入したか否かを判定する。走行中の車両が放送局の受信エリアから外れる場合にはＳメータの出力レベルが徐々に減少するが、車両がトンネルや建物内の駐車場に進入した場合にはＳメータの出力レベルが急に減少する。したがって、Ｓメータの出力レベルの減少速度が所定の基準値以上になったときに、トンネル等に進入した、いわゆる受信困難モードになったと判定することができる。
【００２８】
モード判定部２２０による判定結果は、周波数走査部２００、ＰＩコード抽出部２０４、周波数テーブル保持部２１２、受信感度判定部２１６等へ提供され、受信困難モードに応じた動作が行われる。好ましい態様では、受信困難モードに移行すると、周波数走査部２００は、周波数帯域の走査において新たに受信可能な周波数を検索することを中断し、また、信号処理部１２０は、ＲＤＳデータの抽出を中断する。その代わりに、受信感度判定部２１６による周波数テーブルの受信可否の判定が通常モードのときよりも頻繁に行われる。すなわち、通常モードのときに行われる周波数の受信可否の判定の周期は、受信困難モードのときにｎ倍に高速化される。例えば、通常モードのとき、１秒毎に周波数の受信可否の判定が行われていたものを、受信困難モードのとき、２ｍｓｅｃ毎に受信可否の判定が行われるようにする。これにより、受信判定フラグの更新速度が高速になり、その結果、表示更新部２１８による放送局リストの更新速度も速くなる。また、周波数テーブル保持部２１２は、受信困難モードと判定されると、受信困難モードに突入する前の周波数をメモリに保持し、受信感度判定部２１６による受信可否の判定において受信不可と判定されても、当該周波数を周波数テーブルから消去しない。
【００２９】
次に、本発明の実施例に係るラジオ受信装置の動作について説明する。図７は、バックグランド動作される第２のチューナー１１０Ｂが通常モードで周波数帯域を走査するときの処理を説明するグラフである。縦軸は、周波数であり、横軸は時間である。周波数帯域の上限は、１０８．０ＭＨｚ、下限は８７．５ＭＨｚであり、上限から下限に向けての走査が１回行われた例を模式的に示している。処理Ａは、ＲＤＳ放送局からのＲＤＳデータの抽出、処理Ｃは、周波数テーブルに登録されている周波数の受信感度の判定、処理Ｂは、ＴＭＣ放送局からの道路交通情報の抽出を示している。
【００３０】
周波数走査部２００による走査が開始され、周波数ｆ２が受信可能であると判定されると、ＲＤＳ放送局の放送信号が受信され、放送信号からＲＤＳデータを抽出する処理Ａが行われる。ＲＤＳデータには、例えば、ＰＩコード、番組のジャンルを識別する情報（ＰＴＹ）、番組サービス名（ＰＳ）、交通プログラム識別（ＴＰ）などが含まれる。処理Ａが終了すると、次に、周波数ｆ５において道路交通情報（ＴＭＣデータ）を取得する処理Ｂが実行される。ＴＭＣデータは、ＴＭＣ放送局から一定の周期で送信されるため、ラジオ受信装置は、これに同期してＴＭＣデータを取得する。次に、周波数ｆ３が受信可能であると判定されると、ＲＤＳデータを抽出する処理Ａが実行され、次に、周波数テーブルに登録された周波数の受信可否を判定する処理Ｃが行われる。周波数テーブル内のどの周波数から判定を開始するかは任意であるが、例えば、周波数の高い方から順に走査が行われるのであれば、周波数テーブルの周波数の高いものから受信感度のチェックが行われる。ここでは、周波数テーブルに登録された周波数ｆ１、ｆ２、ｆ４、ｆ７、ｆ８、ｆ１１、ｆ１４について受信可能か否か判定するために電界強度がチェックされる例が示されている。処理Ｃは、周波数走査部２００による周波数帯域の走査中に、これと平行して一定の周期で時分割で行われる。
【００３１】
以後、同様に、処理Ａないし処理Ｃが実行され、全周波数帯域の１回の走査が終了すると、図３または図６に示すような周波数テーブルが完成される。周波数帯域内に受信可能な周波数の数が多ければ、１回の走査に要する時間は長くなり、例えば、受信可能な周波数が２０程度あれば、１回の走査に約２分程度を要する。１回目の走査が終了すると、第２のチューナー１１０Ｂにより第２回目の走査が開始される。
【００３２】
図８は、周波数走査部による周波数テーブルの作成動作を説明するフローである。周波数走査部２００により第２のチューナー１１０Ｂの周波数が１００ＫＨｚ単位で変化され（Ｓ１０１）、第２のチューナー１１０Ｂにより受信された周波数の電界強度信号が制御部１８０へ提供される（Ｓ１０２）。制御部１８０は、電界強度信号がしきい値以上であるか否かを判定し（Ｓ１０３）、しきい値以上であれば、当該周波数が受信可能であると判定し（Ｓ１０４）、次いで、当該周波数の放送局がＲＤＳ放送局であるか否かを判定する（Ｓ１０５）。ＲＤＳ放送局であれば、図７に示したように処理ＡにおいてＲＤＳデータが抽出され（Ｓ１０６）、周波数とＰＩコードが周波数テーブルに登録される（Ｓ１０７）。周波数帯域の上限または下限の周波数に到達すれば（Ｓ１０８）、当該走査が終了され、再び、次の走査が開始される。
【００３３】
図９は、周波数テーブルの周波数の受信可否を判定する処理Ｃのフローである。受信感度判定部２１６は、周波数テーブルに登録された複数の周波数の中から１つの周波数を選択し（Ｓ２０１）、第２のチューナー１１０Ｂは、選択された周波数に同調される。受信感度判定部２１６は、当該選択された周波数の電界強度信号を受信し（Ｓ２０２）、電界強度信号がしきい値以上であるか否かをチェックする（Ｓ２０３）。電界強度信号がしきい値以上であれば、当該周波数は受信可能であると判定し（Ｓ２０４）、対応する受信判定フラグが「０」になっていれば、これを「１」に変更する（Ｓ２０５、Ｓ２０６）。他方、電界強度信号がしきい値未満であれば、当該周波数は受信不可と判定し（Ｓ２０７）、受信判定フラグが「１」になっていれば、これを「０」に変更する（Ｓ２０８、Ｓ２０９）。１つの周波数についての受信可否が判定され、周波数テーブルに登録された未判定の周波数が残っていれば（Ｓ２１０）、次の周波数が選択され、未判定の周波数が残っていなければ終了となる。こうした周波数テーブルに登録された周波数の受信感度を判定する処理Ｃは、周波数走査部２００による周波数帯域の走査と平行して時分割処理にて実行される。
【００３４】
次に、放送局リストの作成動作を図１０のフローに示す。放送局表示部２１４は、周波数テーブル作成部２１０により作成された周波数テーブルを参照し（Ｓ３０１）、受信判定フラグが「１」である周波数と当該周波数のＰＩコードに基づき検索された番組サービス名（ＰＳ）とを取得する（Ｓ３０２）。次に、放送局表示部２１４は、図５に示すように、現在受信している周波数の放送局名と、他の受信可能な放送局名のリストを作成し（Ｓ３０３）、これを表示する（Ｓ３０４）。
【００３５】
図１１は、放送局リストの表示を更新するフローである。放送局表示部２１４により放送局リストが表示され（Ｓ４０１）、次いで、表示更新部２１８は、図６に示す周波数テーブルの受信判定フラグを監視し、フラグに変更にあったか否かをチェックする（Ｓ４０２）。フラグが「０」から「１」に変更があったとき（Ｓ４０３）、表示更新部２１８は、フラグが変更された周波数に該当する放送局を放送局リストに追加する（Ｓ４０４）。他方、フラグが「１」から「０」に変更があったとき、表示更新部２１８は、フラグが変更された周波数に該当する放送局を放送局リストから削除する（Ｓ４０５）。なお、表示更新部２１８は、全周波数帯域の１回の走査が終了したときに、フラグが変更されたか否かをチェックすることなく、周波数テーブルに基づき放送局リストを更新するようにしてもよい。
【００３６】
図１２は、モード判定部による受信困難モードの判定動作の一例を示すフローである。モード判定部２２０は、放送局リストの放送局の数を監視する（Ｓ５０１）。モード判定部２２０は、放送局の数が減少したとき（Ｓ５０２）、当該減少が一定の条件を満足するか否かを判定する（Ｓ５０３）。好ましくは、一定時間以内に一定の割合で放送局が急激に減少したとき、電波受信が困難なエリア、例えばトンネルや地下駐車場などに進入したものとみなし、通常モードから受信困難モードに移行したものと判定する（Ｓ５０４）。モード判定部２２０により受信困難モードの判定が行われると、周波数帯域の走査においてＲＤＳデータを抽出する処理Ａが中断され、ＴＭＣデータを抽出する処理Ｂおよび周波数テーブルに登録された周波数の受信可否を判定する処理Ｃが行われ、その結果、処理Ｃの判定周期は、通常モードのときのｎ倍の速さで行われる（Ｓ５０５）。
【００３７】
図７Ａは、受信困難モードと判定された場合の処理を説明するグラフである。同図に示すように、受信困難モードと判定されると、周波数帯域による走査中に行われるＲＤＳデータを抽出する処理Ａが中断され、周波数の受信可否を判定する処理ＣおよびＴＭＣデータを抽出する処理Ｂが連続的に時分割で行われる。同図に示す例では、周波数テーブルに登録された周波数ｆ１、ｆ２、ｆ４、ｆ５、ｆ７、ｆ８、ｆ１１、ｆ１４についての処理Ｃが繰り返し行われ、処理Ｃと処理Ｃの一定の合間に、ＴＭＣデータを抽出する処理Ｂが行われる。このように、受信困難モードでは、通常モードのときよりも非常に短い周期で処理Ｃが実行される。なお、受信可否を判定する処理Ｃにおいて、仮に、周波数テーブルに登録された周波数（例えば、周波数ｆ１）が受信不可と判定されても、当該周波数ｆ１は、周波数テーブルから削除されることなく保持され、次の処理Ｃにおいて、周波数ｆ１の受信可否が継続的に判定され、その判定結果はフラグに設定される。受信困難モード中に、周波数テーブルに登録された周波数を保持しているため、電波受信環境が回復したとき、つまり通常モードに移行したとき、周波数テーブルに保持された周波数が受信可能と判定されれば、その結果は、放送局リストに瞬時に反映される。
【００３８】
再び図１２に戻り、図７Ａに示すような高速の受信可否の判定Ｃの処理（Ｓ５０５）は、受信困難モードであると判定されている期間、継続される。モード判定部２２０は、放送局リストの放送局の数が増加したか否かを監視し（Ｓ５０６）、放送局の数が増加したとき、当該増加が一定の条件を満足するか否かを判定する（Ｓ５０７）。好ましくは、一定時間以内に一定の割合で放送局が急激に増加したとき、電波受信が困難なエリア、例えばトンネルや地下駐車場などを脱出したものとみなし、受信困難モードが解除されたと判定し、通常モードへ移行する（Ｓ５０８）。受信困難モードが解除されると、図７に示すように、処理Ａ〜処理Ｃは通常の処理に戻される（Ｓ５０９）。なお、上記の例では、受信困難モードの際に、処理Ａを中断し、処理Ｂおよび処理Ｃを実行するようにしたが、処理Ａと処理Ｂを中断するようにしてもよい。あるいは、処理Ａの中の特定の処理だけを中断するようにしてもよい。要は、どの処理を中断するかは任意に設定することが可能であり、処理Ｃの周期が通常モードのときよりも高速で行われるようにすればよい。
【００３９】
図１３は、具体的な放送局リストの更新例を示している。放送局リスト３００は、通常モード時の受信可能な放送局を示している。放送局の数は１０であるが、この数は、必ずしも周波数テーブルの受信可能な周波数の数とは一致しない。周波数テーブルにＰＩコードが重複する周波数が含まれている場合には、当該ＰＩコードに対応する放送局が放送局リストに表示される。放送局リスト３００の表示が放送局リスト３１０の表示に遷移すると、放送局の数が激減しているため受信困難モードと判定される。ここでは、１０個の放送局が２個の放送局に急激に減少し、トンネル内では、「BAYERN3」と「BAYERN4」のみ放送局名または番組サービス名が受信可能である。
【００４０】
受信困難モードに移行したことに応答して、受信感度判定部２１６は、周波数テーブル３２０に登録されている各周波数（８７．７ＭＨｚ〜１０７．９ＭＨｚ）が受信可能であるか否かを判定し、その判定結果により受信判定フラグを更新する。上記したように、受信困難モードでは、受信判定フラグへの更新速度は、通常モードのときよりも高速に行われ、かつ受信不可と判定された周波数は、周波数テーブルから削除されずに保持され続ける。そして、受信可能な周波数が急減に増加し、その判定結果が周波数テーブル３３０のフラグに反映されると、放送局リスト３４０に更新される。周波数テーブルに登録された周波数が残されているため、放送局リストの更新は瞬時に行われる。放送局リスト３４０の放送局が急激に増加したことにより受信困難モードが解除されたと判定され、通常モードに移行する。トンネル内に進入するや否や、放送局リスト３００から放送局リスト３１０に更新され、受信可能でない放送局は即座に放送局リストから削除され、受信可能な放送局のみが放送局リストに表示される。また、トンネルを脱出するや否や、放送局リスト３１０から放送局リスト３４０に更新され、受信可能な放送局が放送局リストに即座に表示される。こうして、受信可能な放送局とそうでない放送局であることを示す更新情報が迅速にユーザーに提供される。
【００４１】
以上、本発明の好ましい実施の形態について詳述したが、本発明は、特定の実施形態に限定されるものではなく、特許請求の範囲に記載された本発明の要旨の範囲内において、種々の変形・変更が可能である。
【００４２】
上記実施例では、周波数もしくは放送局の受信感度の判定に、電界強度信号を利用したが、これ以外にも信号の誤り率やマルチパスの有無を、電界強度信号に代えてあるいは電界強度信号とともに判定条件に用いることが可能である。さらに上記実施例では、ＲＤＳ放送を受信するラジオ受信装置を例示したが、データを多重化できる放送であれば、ＲＤＳ放送に限らず他のラジオ放送であってもよい。また、それはアナログラジオ放送のみならず、ＤＡＢ等のディジタルラジオ放送であってもよい。さらに上記実施例では２つのチューナーを有するラジオ受信装置を例示したが、チューナーの数は特に制限されるものではなく、単一のチューナーを放送信号の受信とデータの抽出に時分割で使用するもの、あるいは３つ以上のチューナーをもつものであってもよい。
【符号の説明】
【００４３】
１０：車載用電子システム                  ２０：ラジオ受信装置
３０：ナビゲーション装置                  １００Ａ、１００Ｂ：アンテナ
１１０Ａ、１１０Ｂ：チューナー            １２０：信号処理部
１３０：アンプ                            １３２：スピーカ
１４０：表示部                            １５０：記憶部
１６０：入力部                            １７０：インターフェース部
１８０：制御部                            ２００：周波数走査部
２０２：ＲＤＳデータ取得部                ２０４：ＰＩコード抽出部
２０６：代替放送局作成部                  ２０８：代替放送局保持部
２１０：周波数テーブル作成部              ２１２：周波数テーブル保持部
２１４：放送局表示部                      ２１６：受信感度判定部
２１８：表示更新部                        ２２０：モード判定部
２２２：代替周波数リスト                  ３００、３１０、３４０：放送局リスト
３２０、３３０：周波数テーブル
【図１】
0005787788.tif 000002
【図２】
0005787788.tif 000003
【図３】
0005787788.tif 000004
【図４】
0005787788.tif 000005
【図５】
0005787788.tif 000006
【図６】
0005787788.tif 000007
【図７】
0005787788.tif 000008
【図７Ａ】
0005787788.tif 000009
【図８】
0005787788.tif 000010
【図９】
0005787788.tif 000011
【図１０】
0005787788.tif 000012
【図１１】
0005787788.tif 000013
【図１２】
0005787788.tif 000014
【図１３】
0005787788.tif 000015